(57)【特許請求の範囲】
【請求項１】
光信号の経路を光信号のまま切り替えて設定する光スイッチと、前記光スイッチに前記経路の切り替え動作を指示する制御部と、該光スイッチによって経路を設定された光信号について性能を検出して警報を発する性能監視部と、前記警報を前記性能監視部から受け取って前記制御部に受け渡す警報マスク部とを有し、
前記性能監視部は、前記光信号についての前記性能を、予め定めた複数の項目について検出し、前記複数の項目ごとに、検出した前記性能が、予め定めた性能よりも劣化している場合に、それぞれ前記警報を発し、
前記警報マスク部は、前記光スイッチが切り替え動作を開始した時点から前記複数の項目ごとに予め定めたマスク時間、前記性能監視部が発した前記警報を前記複数の項目ごとにマスクし、前記制御部へ前記警報が入力するのを遮ることを特徴とする光経路設定装置。
【請求項２】
請求項１に記載の光経路設定装置において、前記複数の項目は、前記光信号についての光パワー、動作クロック同期、フレームクロック同期、誤り率のうちの少なくとも一つを含むことを特徴とする光経路設定装置。
【請求項３】
請求項１に記載の光経路設定装置において、前記光スイッチは、Ｎ個の出力経路を有し、前記性能監視部は、前記Ｎ個の出力経路ごとに配置され、前記Ｎ個の出力経路の光信号についてそれぞれ前記複数の項目について警報を出力し、前記警報マスク部は、前記Ｎ個の出力経路ごとの前記複数の項目についての前記警報をそれぞれマスクすることを特徴とする光経路設定装置。
【請求項４】
請求項３に記載の光経路設定装置において、前記警報マスク部は、マスクレジスタと、警報レジスタと、警報出力部とを有し、
前記マスクレジスタと警報レジスタは、それぞれ前記Ｎ個の出力経路についての前記複数の項目にそれぞれ対応するビットエリアを有し、
前記マスクレジスタの前記ビットエリアには、対応する前記出力経路の前記項目について、前記マスク時間中には「マスク状態」を示すビットが書き込まれ、前記マスクが解除されている場合には「マスク解除」を示すビットが書き込まれ、
前記警報レジスタの前記ビットエリアには、対応する前記出力経路の前記項目について前記性能監視部から前記警報が出力されている場合には「警報あり」を示すビットが書き込まれ、前記警報が出力されていない場合には「警報なし」を示すビットが書き込まれ、
前記警報出力部は、前記マスクレジスタと前記警報レジスタの対応するビットエリアにそれぞれ「マスク解除」、「警報あり」を示すビットが書き込まれている場合に、前記制御部に対して前記警報を出力することを特徴とする光経路設定装置。
【請求項５】
光信号の経路を光信号のまま切り替えて設定する光スイッチに前記経路の切り替え動作を指示する光スイッチ制御装置であって、
前記光スイッチによって経路を設定された光信号の性能を予め定めた複数の項目について検出する外部の性能監視部が前記複数の項目ごとにそれぞれ出力した警報を受け付ける警報受付部と、
前記光スイッチが切り替え動作を開始した時点から前記複数の項目ごとに予め定めたマスク時間、前記警報受付部が受け付けた前記警報を前記複数の項目ごとにマスクする警報マスク部とを有することを特徴とする光スイッチ制御装置。
【請求項６】
光信号の経路を光信号のまま切り替えて設定する光スイッチと、該光スイッチによって経路を設定された光信号の性能を予め定めた複数の項目について検出する外部の性能監視部が前記複数の項目ごとにそれぞれ発する警報をマスクする警報マスク部とを有し、
前記警報マスク部は、前記外部の性能監視部が発した警報を受け付ける警報受付部を有し、前記光スイッチが切り替え動作を開始した時点から前記複数の項目ごとに予め定めたマスク時間、前記警報受付部が受け付けた前記警報を前記複数の項目ごとにマスクすることを特徴とする光スイッチ装置。
【請求項７】
光経路設定装置を含む光通信網システムであって、
該光経路設定装置は、光信号の経路を光信号のまま切り替えて設定する光スイッチと、前記光スイッチに前記経路の切り替え動作を指示する制御部と、該光スイッチによって経路を設定された光信号の性能を予め定めた複数の項目について検出して前記複数の項目ごとにそれぞれ警報を発する性能監視部と、前記警報を前記性能監視部から受け取って前記制御部に受け渡す警報マスク部とを有し、
前記性能監視部は、検出した前記性能が、予め定めた性能よりも劣化している場合に前記警報を発し、
前記警報マスク部は、前記光スイッチが切り替え動作を開始した時点から前記複数の項目ごとに予め定めたマスク時間、前記性能監視部が発した前記警報を前記複数の項目ごとにマスクし、前記制御部へ前記警報が入力するのを遮ることを特徴とする光通信網システム。
【発明の詳細な説明】
【０００１】
【発明の属する技術分野】
本発明は、光通信網システムに係り、特に、光信号を電気信号に変換せずに光信号のまま経路切り換えを行う光通信網システムに関する。
【０００２】
【従来の技術】
インターネットに代表されるデータトラヒックの急増や、画像・音声・データからなるマルチメディア通信の需要急増に対応するため、通信網を構成する伝送路と通信ノードの高速化と大容量化が進められ、光ファイバと光信号を使用した光通信装置の導入が進んでいる。更には、従来の光信号を一旦電気信号に変換して処理していた通信装置に代わり、光信号を電気信号に変換せず光信号のまま伝送路切替え／回線切替え等のスイッチング（切替え）処理を実施する光クロスコネクト（以下ＯＸＣと称する）や光アドドロップ多重装置（以下ＯＡＤＭと称する）の実用化が検討されている。ＯＸＣやＯＡＤＭは、光経路の切り換えのための主要部品として光スイッチを用いる。光スイッチとしては、機械式光スイッチや、熱光学効果を用いた光スイッチや、電気光学効果を用いた光スイッチ等種々のものが知られている。これら光スイッチの中でも機械式光スイッチが最も低損失であり、最も良く使用されている。
【０００３】
上記ＯＸＣやＯＡＤＭの実用化にあたっては、光信号の損失を抑えるといった基本的な性能を向上させることとともに、信号の経路（あるいは系そのもの）を適切に切替え運用できる構成とし、信頼性・保守性・サービス性（以下ＲＡＳ機能と称する）に優れた装置を提供することが欠かせない。従来の電気信号で処理されていた多重化装置等の伝送装置やディジタル交換機では、処理すべき信号の性能を適切な位置で監視したり、装置の一部分に冗長構成（例えば２重化）を採用したりすることにより、ＲＡＳ機能に優れた装置を提供していた。
【０００４】
従来の電気信号では、１０Ｇｂｐｓまで時間多重が可能であり、原理的にはこの技術を用いて経路切替を行うことも可能である。ただし、ＳＯＮＥＴ／ＳＤＨのようなデジタル伝送システムでは、高度な制御管理信号の処理をするため、６４の１５５Ｍｂｐｓの信号に並列展開して経路切替を行っている。この速度では、データのバッファリング技術を利用し、切替を無瞬断で実行する技術が従来より知られている。
【０００５】
【発明が解決しようとする課題】
上述のようにＯＸＣやＯＡＤＭは、光経路の切り換えのための主要部品として光スイッチを用いる。しかしながら、光信号をそのまま処理するＯＸＣやＯＡＤＭでは、通過させる光信号の伝送速度が電気信号よりもさらに高速な１０Ｇｂｐｓ以上（例えば４０Ｇｂｐｓ）であるにも関わらず、最も良く使用される機械式光スイッチの場合、切り替え速度が遅く、最短数ミリ秒であることが問題となる。このため、ＯＸＣやＯＡＤＭに対して従来の電気信号を処理する装置と同様な信号経路の切替えを単純に実施すると、光スイッチによる光信号の経路切替え動作中に数百万ビット、言い換えると数十フレームの光信号が該光スイッチを通過できず失われる瞬断が発生してしまう。すなわち、電気信号を処理する装置では従来対策できていた瞬断が、光信号をそのまま処理するＯＸＣやＯＡＤＭにおいては発生してしまう。よって、光スイッチによる瞬断の存在を前提とした上でＲＡＳ機能に優れた光信号切替え装置を実現する必要が生じる。
【０００６】
一般にＯＸＣやＯＡＤＭでは、処理すべき光信号の性能を維持するために、光経路の切替を行った後、（１）光信号のパワー劣化／断［検出レベル：−２０ｄＢｍ、検出時間：１μ秒オーダー］、（２）動作クロックの同期状態［検出時間：１μ秒オーダー］、（３）光信号フレームの同期状態［検出時間：３７５μ秒］、（４）光信号の誤り率（ビットエラーレートで、以下ＢＥＲと称する）［検出レベル：１０−９、検出時間：１０秒］等の様々な監視項目を所定の時間監視し、障害や障害発生の可能性が発見されたら適切に光信号の経路（あるいは系そのもの）を別の経路に切替える障害監視機能を備えることがＲＡＳ機能の向上には欠かせない。尚、上記検出項目ごとに括弧内で示した検出レベルや検出時間は一例であり、装置で処理する光信号の速度や装置の規模や設置場所により適宜変わりうるものである。
【０００７】
上述のような障害監視機能を備えた装置では、監視回路の設置位置や監視方法によっては、光スイッチによる経路切替えによる瞬断を、光信号のパワー断やＢＥＲ異常や同期外れとして検出してしまい、切替えそのものは正常な運用動作であるにもかかわらず光信号進行方向の下流側や障害を監視管理する装置に警報を伝えてしまう状況が起こりうる。また、一般的に監視回路は、経路切替え完了後の正常性確認や障害復旧も監視するので、光スイッチの切替えに要する時間や上記障害監視機能の動作時間を考慮して監視を行わないと、切替えは正常に行われたのに光信号進行方向の下流側や障害を監視管理する装置に警報を伝えてしまう状況も起こりうる。このような状況は、ＯＸＣやＯＡＤＭにおいて、運用動作が正常であるにもかかわらず再度の経路切替えを誘発するため、ＯＸＣやＯＡＤＭ全体の動作やこれらを用いた通信システム（ネットワーク）の動作不安定につながり、ＲＡＳ機能が期待通りに動作しない状態を引き起こす。もちろん、障害の検出時間や回復監視時間を大きくする等の保護機能を導入すれば上記のような状況を防止することが可能であるが、本来の警報監視能力が落ちるためＲＡＳ機能向上の面からは望ましくない。
【０００８】
一方、従来のディジタル交換機等、電気信号を処理する通信装置においては、ソフトウェアの指示に基づく装置内動作（例えば系切替えやハードウェア保守・交換）に起因した誤情報を収集しないように予めこれらの情報をマスクしてから動作を行う構成とし、装置内のハードウェアで監視した警報や保守情報をソフトウェアが収集する等の構成のものが知られている。しかしながら、従来の電気信号を処理する通信装置のソフトウエアによるマスク機能を、単純にＯＸＣやＯＡＤＭに適用することはできない。
【０００９】
具体的な例を挙げれば、光スイッチによって光経路を切替えると、瞬断により光信号パワー断と伝送信号のクロック同期外れとフレーム同期外れとが発生するが、光信号パワー断は切替え完了後、スイッチ切替時間（約１ミリ秒）にて回復が検出される。一方、クロック同期外れとフレーム同期外れについては、光信号パワーが新しい接続にて回復した後、新たにクロックおよびフレームの同期を取る動作が必要になる。これら再同期確認に必要な時間は１ミリ秒を超える。さらに、ＢＥＲ測定にはフレーム同期が確保されてから、１００００フレームが必要であり１０秒以上待つ必要がある。このため、光スイッチの切り替えによる瞬断と固定的な障害である光ファイバの切断と区別して正しい経路切替え運用を行おうとすれば、従来の障害検出方法や従来のソフトウェアによるマスク機能を単純にＯＸＣやＯＡＤＭに導入しただけではＲＡＳ機能が不足する。このため、複数の障害検出の項目やそれらの監視時間と装置内での該障害検出回路の配置に伴い発生する障害検出／回復検出動作の組合せを考慮した上で、真の障害を検出して経路切替えを実行するＲＡＳ機能に優れたＯＸＣやＯＡＤＭの実現が求められる。また、経路切替えに伴う瞬断が存在しても光信号進行方向の下流側や障害を監視管理する装置への警報通知を防止し、運用動作が正常時の再経路切替え誘発を防止するＯＸＣやＯＡＤＭの実現が求められる。
【００１０】
本発明は、光信号のまま経路切替処理を行う光通信網システムであって、光スイッチの切り替え時に、誤警報が通知されることを防止し、信頼性の高い光通信網システムを提供することを目的とする。
【００１１】
【課題を解決するための手段】
上記課題を解決するために、本発明では、光スイッチによって経路を設定された光信号の性能を監視する監視部が発した警報を、光スイッチが切り替え動作を開始した時点から予め定めたマスク時間だけ、マスクする構成とする。これにより、光スイッチの正常な切り替え動作による光信号の性能変化によって警報が発せられた場合であっても、その警報が、システムに警報として認識されるのを防ぐことができる。
【００１２】
なお、監視部は、光信号についての性能を、予め定めた複数の項目について検出し、複数の項目ごとにそれぞれ警報を出力する構成とすることが可能であり、この場合、上述のマスク時間は、前記複数の項目ごとに定めることが望ましい。これにより、複数の項目ごとにそれぞれ警報をマスクすることが可能となり、光性能の検出項目ごと、光スイッチの正常な切り替え動作のためにその光性能が劣化する必要最小限の時間だけ、マスクすることが可能となる。
【００１３】
【発明の実施の形態】
以下、本発明の一実施の形態の光通信網システムについて説明する。
【００１４】
本実施の形態の光通信網システムは、図１に示したように、光アドドロップ多重装置（ＯＡＤＭ）１００３〜１００９および光クロスコネクト装置（ＯＸＣ）１００１，１００２を、光ファイバ２００１〜２００６により接続した構成である。具体的には、光アドドロップ多重装置（ＯＡＤＭ）１００３〜１００５は、光ファイバ２００５によりリング状に接続され、光アドドロップ多重装置（ＯＡＤＭ）１００６〜１００９は、光ファイバ２００６によりリング状に接続されている。光ファイバ２００５と、光ファイバ２００１〜２００４は、光クロスコネクト装置（ＯＸＣ）１００１によって接続されている。また、光クロスコネクト装置（ＯＸＣ）１００１は、光アドドロップ多重装置（ＯＡＤＭ）１００６とも接続されている。光ファイバ２００３には、光クロスコネクト装置（ＯＸＣ）１００２を介して、さらに光ファイバが接続されている。
【００１５】
光アドドロップ多重装置（ＯＡＤＭ）１００３は、図１２のように波長多重された光信号を分離する分離部１２１と、光の経路を切り替える光経路設定装置１００と、光信号を多重化する多重部１２２とを有する。この構成により、光ファイバ２００５から受信した多重化光信号を波長分離部１２１により分離し、光経路設定装置１００により必要な光信号を取り出し、光ファイバ２００７を介して外部装置に出力する。また、光ファイバ２００７を介して外部装置から受け取った光信号を、波長多重部１２２により他の光信号と多重化して光ファイバ２００５へ送出する。光アドドロップ多重装置（ＯＡＤＭ）１００４〜１００９も、光アドドロップ多重装置（ＯＡＤＭ）１００３と同様の構成であり、光ファイバ２００５、２００６から受信した多重化光信号の中から必要な光信号を取り出し、光ファイバ２００８〜２０１３を介して外部装置に出力するとともに、外部装置から受け取った光信号を他の光信号と多重化して光ファイバ２００５、２００６へ送出する。
【００１６】
一方、光クロスコネクト装置（ＯＸＣ）１００１は、図１３のように波長多重された光信号を分離する分離部１３１，１３２等と、光の経路を切り替える光経路設定装置１００と、光信号を多重化する多重部１３３，１３４等を有する。この構成により、光ファイバ２００１、２００５等から受信した多重化光信号を分離部１３１，１３２等により分離して光経路設定装置１００により光信号毎に宛先となる光ファイバに経路を切替え、多重部１３３，１３４等によって再び多重化して光ファイバ２００５、２００４等へ出力する。また、光クロスコネクト装置（ＯＸＣ）１００１は、光アドドロップ多重装置（ＯＡＤＭ）１００６との間で光ファイバ２０１０を介してローカルに光信号を送受信する。光クロスコネクト装置（ＯＸＣ）１００２も光クロスコネクト装置（ＯＸＣ）１００１と同様の構成である。
【００１７】
このように、光アドドロップ多重装置（ＯＡＤＭ）１００３〜１００９および光クロスコネクト装置（ＯＸＣ）１００１，１００２はいずれも、光信号を電気信号に置き換えることなく経路を切り替える光経路設定装置１００を含んで構成される。光経路設定装置１００は、光の経路を切り替える光スイッチ３００と、その動作を制御する制御部３０５と、光性能監視部３１０を含んでいる。光性能監視部３１０は、光スイッチ３００を通過した光信号の光信号のパワー劣化、動作クロックの同期状態、光信号フレームの同期状態、光信号の誤り率の４つの項目について検出する。光性能監視部３１０の検出結果は、制御部３０５に受け渡される。
【００１８】
また、本実施の形態の光通信網システムは、障害が発生した場合にそれを復旧可能とするための構造を有している。具体的には、光アドドロップ多重装置（ＯＡＤＭ）１００６〜１００９を光ファイバ２００６でリング状に接続した伝送路は、図１１のように光アドドロップ多重装置（ＯＡＤＭ）１００６、１００７間を接続する光ファイバ２００６−４が、並列な２本の光ファイバ２００６−４ａ、２００６−４ｂにより構成されており、光アドドロップ多重装置（ＯＡＤＭ）１００６、１００７は、光経路設定装置１００の切り替えにより、光ファイバ２００６−４ａ、２００６−４ｂのいずれか一方を選択して光信号を伝送可能である。図１１の伝送路では、通常、光ファイバ２０１０から光ファイバ２０１２へ光信号を伝送させる場合の通信経路は、光アドドロップ多重装置（ＯＡＤＭ）１００６，光ファイバ２００６−４ａ、光アドドロップ多重装置（ＯＡＤＭ）１００７、光ファイバ２００６−３，光アドドロップ多重装置（ＯＡＤＭ）１００８、光ファイバ２０１２を経由するように予め定められている。また、光ファイバ２００６−４ａに障害が発生した場合には、光ファイバ２００６−４ｂにて伝送するように切り替えて救済するように予め定められている。光ファイバ２００６−４ａ，２００６−４ｂの両方に障害が発生した場合には、光アドドロップ多重装置（ＯＡＤＭ）１００６，光ファイバ２００６−１、光アドドロップ多重装置（ＯＡＤＭ）１００９、光ファイバ２００６−２，光アドドロップ多重装置（ＯＡＤＭ）１００８、光ファイバ２０１２を経由するよう伝送路を切り替えるように予め定められている。これら障害発生時の救済のための切替は、不図示の監視制御システム（ＯｐＳ）が、光アドドロップ多重装置（ＯＡＤＭ）１００６〜１００９の光経路設定装置１００の制御部３０５に経路の切替を指示するか、もしくは制御部３０５の自らの判断により行われる。
【００１９】
本実施の形態では、光経路設定装置１００の光スイッチ３００として、機械式光スイッチを用いる。この光スイッチ３００は、端面を向かい合わて配置された光ファイバと、この光ファイバの一方を機械的に横にずらす駆動部とを有する。駆動部が、光ファイバを移動させることにより、隣り合わせに配置されていた光ファイバの端面と向かい合う位置関係となり、スイッチングを行う構成である。このような機械式光スイッチは、切り替え動作の開始から終了までに最短数ミリ秒を有し、この間、光信号が光スイッチ３００を通過できずに失われる瞬断が発生する。また、切り替え動作時に、動作クロックの同期はずれ、光信号フレームの同期はずれも生じる。したがって、障害等がない状態で光経路設定装置１００の設定経路を変更する場合においても、光スイッチ３００の切り替え動作時に、光性能監視部３１０で瞬断や同期はずれが検出されることとなり、実際には正常な切り替え動作であるにも関わらず障害として認識された場合には、図１１を用いて説明したような障害発生時の救済動作が開始される。そこで、本実施の形態では、光経路設定装置１００を、以下のような構成にすることにより、光スイッチ３００を用いて信頼性・保守性・サービス性に優れた光通信網システムを提供する。
【００２０】
なお、本実施の形態の光経路設定装置１００は、構成部品を適切に選択することで、様々な伝送速度や光信号の多重度に対応可能な柔軟な構成の通信網が容易に構築できるものである。例えば、光信号はＩＴＵ−Ｔ勧告で定められたＳＴＭ−０（５１．８４ＭＨｚ）以上の速度の光信号等を使用することができ、また、波長多重の有無や波長多重数についても制約されるものではない。
【００２１】
まず、本実施の形態の光経路設定装置の特徴を説明するために、図２のように単純化した構成によって説明する。図２の単純化した光経路設定装置１００では、図１２または図１３のＮ×ＮまたはＮ×Ｍの光スイッチ３００のひとつの切替動作に注目し、２つの入力信号１，２と１つの出力信号について示している。入力信号１，２は、それぞれ経路２０１および２０２から光スイッチ３００に入力され、光スイッチ３００により選択されたいずれか一方が経路２０３から出力される。経路２０３から出力された光信号は、光性能監視部３１０を通り、光信号のパワー劣化、動作クロックの同期状態、光信号フレームの同期状態、光信号の誤り率の４つの項目について検出し、それぞれについて予め定めた値よりも劣化している場合には、４つの項目についてそれぞれ警報を発する。制御部３０５は、システム制御部３０２、警報マスク３０３、タイマ３０４を含んでいる。システム制御部３０２は、光スイッチ３００の経路切替を制御するとともに、警報マスク３０３を介して光性能監視部３１０からの警報情報を収集する。警報マスク３０３は、光経路切り替え時に光性能監視部３１０が警報を発する項目ごとに、光パワー断警報マスク３０３ａ，動作クロック同期はずれ警報マスク３０３ｂ、フレーム同期はずれ警報マスク３０３ｃ、誤り率警報マスク３０３ｄを有する。
【００２２】
以下、図２の光経路設定装置１００の光経路切替時の動作を図３のフローチャートを用いて説明する。不図示の監視制御システム（ＯｐＳ）等から経路切替要求がシステム制御部３０２に入力されると（ステップ４００）、システム制御部３０２は、タイマー３０４をトリガー信号により起動し、警報マスク３０３をマスク状態にする（ステップ４２０）。システム制御部３０２は、内蔵するメモリに、光パワー断警報マスク３０３ａ，動作クロック同期はずれ警報マスク３０３ｂ、フレーム同期はずれ警報マスク３０３ｃ、誤り率警報マスク３０３ｄのマスク時間が予め格納されている。システム制御部３０２は、格納されているマスク時間をそれぞれ読み出し、４つの警報ごとに対応するマスク時間をタイマー３０４にセットする。本実施の形態では光パワー断警報マスク３０３ａ、動作クロック同期はずれ警報マスク３０３ｂ、フレーム同期はずれ警報マスク３０３ｃのマスク時間は１０ｍｓと定め、誤り率警報マスク３０３ｄのマスク時間は１５ｓと定めている。これらのマスク時間は、正常な切り替え動作の場合において、上記の警報が正常状態に回復するまでに必要な、それぞれ個別の時間に予め定められている。
【００２３】
警報マスク３０３を設定後、システム制御部３０２は光スイッチ３００の駆動部に切替命令信号を送り、駆動部は光経路を切替える（ステップ４３０）。光経路を切替えた直後は、光信号に断を生じ、動作クロックおよび光信号フレームの同期はずれが生じ、誤り率についても正常に測定できないため、光性能監視部３１０からそれぞれの警報が出力されるが、警報マスク３０３ａ、３０３ｂ、３０３ｃ、３０３ｄによってよってそれぞれマスクされるているため、システム制御部３０２は警報と認識しない。光経路の切替が完了し、タイマー３０４は、設定されたマスク時間が経過したならば、上記４つの警報マスク３０３ａ，３０３ｂ，３０３ｃ，３０３ｄにそれぞれマスク解除信号を出力し（ステップ４５０）、マスクを解除する（ステップ４６０）。すべての警報マスク３０３ａ，３０３ｂ，３０３ｃ，３０３ｄが解除された場合（ステップ４７０）、上記４つの警報について通常の警報監視状態（ステップ４９０）へ戻る。
【００２４】
図２の光経路設定装置１００の動作について、図４、図５、図６のタイムチャートを用いてさらに説明する。
【００２５】
まず、図４（ａ）〜（ｈ）のタイムチャートを用いて、図２の光経路設定装置の光スイッチ３００が、正常に切り替えられる場合について説明する。
【００２６】
ここでは、光スイッチ３００は、出力経路２０３から出力される信号を光信号１から光信号２へ切り替えるものとする。時間とともに変化する状態は、図４（ｈ）に示している。切替前の状態は、図４（ｄ）の「状態１」５１１である。切替要求があった場合には、システム制御部３０２が上述のステップ４２０の動作により、光パワー断警報マスク３０３ａ，動作クロック同期はずれ警報マスク３０３ｂ、フレーム同期はずれ警報マスク３０３ｃ、誤り率警報マスク３０３ｄにマスクを設定する。これにより、図４（ｈ）の「状態２」５１２である。なお、ここでは光パワー断警報マスク５０４および誤り率警報マスク５０５の状態のみを図４（ｅ）、（ｆ）に図示している。
【００２７】
システム制御部３０２は、上記ステップ４３０により、光スイッチ３００の駆動部に切替命令信号（図４（ａ））を送り、光スイッチ３００は、駆動部が接続状態を機械的に変化させる動作を行い、接続１から接続２へ変化し、光スイッチ３００の選択信号（図４（ｃ））は光信号１から光信号２に切り替えられる。この光スイッチ３００の切り替え動作に要する時間は、数ｍｓ程度であり、この切り替え動作を行っている状態が図４（ｄ）の「状態３」５１３である。
【００２８】
「状態３」５１３では、光スイッチ３００を光信号が通過できない時間があるため、光信号の断が発生して警報モニタ３１０からは光パワー断警報が発せられる。また、光パワー断により誤り率を測定できなくなるため、誤り率警報も発生する。この「状態３」５１３では、図４（ｅ），（ｆ）のように光パワー断警報マスク３０３ａ、誤り率警報マスク３０３ｄにマスクが設定されているため、図４（ｇ）のように警報マスク３０３ａ，３０３ｄからシステム制御部３０２に対して警報信号は出力されず、システム制御部３０２は正常状態と認識する。光スイッチ３００の切替動作が完了後、光パワーが回復するため光パワー断警報は解消する。その後、上述のステップ４５０、４６０により光パワー断警報マスク３０３ａが解除され、「状態４」５１４となる。また、図示していないが、「状態３」５１３では、切り替え動作に伴い、動作クロック同期はずれ、フレーム同期はずれが発生し、光性能監視部３１０から警報が発せられるが、動作クロック同期はずれ警報マスク３０３ｂ、フレーム同期はずれ警報マスク３０３ｃにマスクが設定されているため、システム制御部３０２に対して警報信号は出力されない。このマスク時間中に光性能監視部３１０が動作クロック同期、フレーム同期を取り直し、警報が解消する。また、光性能監視部３１０は、光パワーの回復に合わせて誤り率の測定を開始するが、誤り率測定に時間がかかり、誤り率警報は継続し、一定時間を経て正常に復帰する。その後、誤り率警報マスク５０５は測定所要時間を経過してからマスク解除され（ステップ４５０，４６０）、「状態５」５１５となる。
【００２９】
結果として、警報マスク３０３からシステム制御部３０２への警報は、正常な信号への切替においては出力されず、常に正常状態となる。
【００３０】
つぎに、図５（ａ）〜（ｈ）のタイムチャートを用いて、図２の光経路設定装置の光スイッチ３００が切り替え動作を行った後、光信号断状態になった場合について説明する。
【００３１】
切り替え後に光信号断状態になる原因としては、例えば光スイッチ３００に入力する光信号２の強度自体が弱い場合や、光スイッチ３００の切り替え動作が正常に行われなかった場合等がある。この場合、図５（ｈ）の「状態２」５１２までは、図４（ａ）〜（ｈ）の「状態２」５１２までと同じである。「状態３」５１３では、光スイッチ３００の切り替え動作によって光信号断が発生して、光性能監視部３１０から光パワー断警報および誤り率の警報が発生する。光パワー断警報マスク３０３ａは、光スイッチ３００の切替が完了する「状態３」５１３までマスクする。上述の図４（ｄ）のように正常な場合には、光パワー断警報は、「状態３」５１３の終了までに解消されるが、図５（ｃ）のように光信号２に異常があり、光信号２の強度が弱い場合には光性能監視部３１０の光パワー断警報は、光パワー断警報マスク３０３ａのマスクが解除された後も継続する。よって、「状態４」５１４になった時点で光パワー警報マスク３０３ａからシステム制御部３０２に光パワー断警報が出力され、システム制御部３０２は断警報を認識する。また、この場合、光パワー断が継続しているため、誤り率警報も継続し、「状態５」５１５となった時点から誤り率警報マスク３０３ｄからシステム制御部３０２に誤り率警報が出力され、システム制御部３０２は、誤り率警報を認識する。よって、システム制御部３０２は、障害が発生したとして、監視制御システム（ＯｐＳ）に通報し、監視制御システム（ＯｐＳ）の指示のもとで、図１１に示した障害を救済するための新たな経路切り替え動作を開始する。
【００３２】
つぎに、図６（ａ）〜（ｈ）のタイムチャートを用いて、図２の光経路設定装置の光スイッチ３００が切り替え動作を行った後、光信号の誤り率が劣化した場合について説明する。
【００３３】
切り替え後に誤り率が劣化する原因としては、例えば光スイッチ３００に入力する光信号２自体にノイズが多い場合や、光スイッチ３００の切り替え動作により光スイッチ３００に干渉が生じた場合等がある。この場合、図６（ｈ）の「状態４」５１４までは、図４（ａ）〜（ｈ）の「状態４」５１４までと同じである。正常な切り替えの場合、図４（ｄ）のように「状態４」５１４の間に、誤り率警報は解消するが、図６（ｄ）の場合は、光信号２で誤り率が劣化しているため、図６（ｆ）の誤り率警報マスク３０３ｄが解除された「状態５」５１５となっても誤り率警報が継続する。このため、「状態５」５１５では、誤り率警報マスク警報マスク３０３ｄからシステム制御部３０２に、誤り率警報が出力され、システム制御部３０２は、誤り率警報を認識する。よって、システム制御部３０２は、障害が発生したとして、監視制御システム（ＯｐＳ）に通報し、監視制御システム（ＯｐＳ）の指示のもとで、図１１に示した障害を救済するための新たな経路切り替え動作を開始する。
【００３４】
つぎに、本実施の形態の光経路設定装置１００の具体的な構成を図７を用いて説明する。この光経路設定装置１００は、１０Ｇｂｉｔ／ｓの光同期網（ＳＯＮＥＴ）における光性能監視を行い、切替時間１ｍｓの光スイッチ３００を用いたものである。光スイッチ３００は、Ｎ×Ｎの光スイッチ３００と、光スイッチ３００のＮ個の出力経路ごとに配置された光性能監視部３１０と、制御部３０５とを有している。
【００３５】
光性能監視部３１０は、光スイッチ３００の出力を分岐する光分岐部３６１と、分岐された光のパワーが予め定めた値以上であるかどうか検出するパワーモニタ３６２と、光スイッチ３００の出力した光信号を電気信号に変換する光電変換部３６３と、変換された電気信号についてクロック同期、フレーム同期、ビット誤り率を評価する性能監視回路３６４と、電気信号を再び光信号に変換する電気光変換部３６５とを備えて構成されている。パワーモニタ３６２は、光信号のパワーが予め定めた値よりも低下した場合には、光パワー断警報を出力する。性能監視回路３６４は、内蔵する基準クロック回路の出力した基準クロックと電気受信信号から抽出したクロックおよびフレーム信号の同期状態をモニタし、同期はずれが生じている場合には、それぞれ動作クロック同期はずれ警報、フレーム同期はずれ警報を出力するとともに、一定時間内に新ためて同期を取り直し、同期がとれた場合は警報を停止する。また、性能監視回路３６４は、電気信号のビット誤り率を検出し、誤り率が予め定めた値よりも劣化したならば誤り率警報を出力する。
【００３６】
制御部３０５は、警報マスク部３０３と、タイマー３４６と、図２のシステム制御部３０２に相当する部分とを有する。システム制御部３０２に相当する部分は、図７の構成では、ＣＰＵ３４２と、切替情報メモリ３４３と、警報管理用メモリ３４４と、切り替え制御回路３４５と、入出力部３４１とを含んでいる。
【００３７】
警報マスク部３０３は、Ｎ個の光性能監視部３１０からの４種類の警報をそれぞれ受け付ける警報インタフェース回路３５４と、それを格納する警報レジスタ３５２と、警報マスクを設定するマスクレジスタ３５３と、警報出力部３５１とを有している。警報レジスタ３５２は、図８に示したように、光スイッチ３００のＮ個の出力ポート（経路）について、それぞれ、断警報、誤り率警報、動作クロック同期はずれ警報、フレーム同期はずれ警報を光性能監視部３１０が出力しているかどうか示す「０」（正常）または「１」（警報あり）を書き込む領域（ビットエリア）を有している。同様に、マスクレジスタ３５３も、光スイッチ３００のＮ個の出力ポート（経路）について、それぞれ、断警報、誤り率警報、動作クロック同期はずれ警報、フレーム同期はずれ警報にマスクを設定するかどうか示す「０」（マスク設定）または「１」（マスク解除）を書き込む領域（ビットエリア）を有している。マスクレジスタ３５３の警報出力部３５１は、警報レジスタ３５２とマスクレジスタ３５３の対応する領域に書き込まれている「０」または「１」の積をとり、「１」であればその出力ポートの該当する警報をＣＰＵ３４２に対して出力する。
【００３８】
警報レジスタ３５２への「０」または「１」の書き込みは、警報インタフェース回路３５４によって行われる。マスクレジスタ３５３への「０」または「１」書き込みは、ＣＰＵ３４２が、警報管理用メモリ３４４に図９のように予め格納されている各警報ごとのマスク時間を参照し、タイマー３４６を稼働させて行う。また、切り替え情報メモリ３４３には、光スイッチ３００の切替状況が格納される。なお、警報管理用メモリ３４４に予め格納されている各警報のマスク時間は、ここでは１０Ｇｂｉｔ／ｓの光同期網（ＳＯＮＥＴ）における光性能監視と切替時間１ｍｓの光スイッチを利用していることに基づいて決定されたものである。ここでは、図９に示すように、断警報、動作クロック同期はずれ警報、フレーム同期はずれ警報に対してそれぞれ１０ｍｓ、誤り率警報に対して１５ｓと設定している。
【００３９】
図７の光経路設定装置１００の制御部３０５の動作を具体的に説明する。
【００４０】
まず、光スイッチ３００によって、入力ポート２０１−１が、出力ポート２０３−Ｎに接続され、正常に動作している（切り替え動作を行っていない）状態について説明する。マスクレジスタ３５３は、図８のように、全てマスク解除を示す「１」が書き込まれている。また、光性能監視部３１０から警報は出力されていないため、警報レジスタ３５２の値も、全て正常を示す「０」になっている。これが図１０に示す「状態１」６１１である。よって、警報出力部３５１からＣＰＵ３４２に対して警報は出力されない。ただし、図１０には、警報の種類として、断警報と誤り率警報のみを示し、動作クロック同期はずれ警報とフレーム同期はずれ警報については図示を省略している。なお、この時タイマー３４６はリセットされている。
【００４１】
ここで、入力ポート２０１−１の光信号にビット誤りの障害が発生すると、出力ポート２０３−Ｎの光性能監視部３６０の中の、性能監視回路３６４によりビット誤り率の劣化が検出され、警報が出力される。この警報は、警報インターフェース回路３５４にて受け付けられ、警報レジスタ３５２のポートＮのビット誤り率に対応するビットエリアに対して、警報有りを示す「１」が書き込まれる。このとき、マスクレジスタ３５３がマスク解除１であるため、警報出力部３５１から警報として出力され、ＣＰＵ３４２にて受け付けられる。ＣＰＵ３４２は、障害が発生したとして、監視制御システム（ＯｐＳ）に通報し、監視制御システム（ＯｐＳ）の指示のもとで、図１１に示した障害を救済するための経路切り替え動作を開始する。
【００４２】
つぎに、ＣＰＵ３４２が入出力部３４１を介して、光スイッチ３００の出力ポート２０３−Ｎへ接続されている入力ポートを、入力ポート２０１−１から入力ポート２０１−Ｎへ切替える指示を受け付けた場合の動作を説明する。
【００４３】
ＣＰＵ３４２は、光スイッチ３００の切替命令を出す前に、警報マスク３０３の設定とタイマ３４６のスタートを行う。まず、警報マスク３０３のマスクレジスタ３５３の出力ポート２０３−Ｎの光パワー断警報、誤り率警報、動作クロック同期はずれ警報、フレーム同期はずれ警報に対応するビットエリアにマスク設定を示す「０」を書き込む。つぎに、各警報についてのマスク時間を警報管理メモリ３４４から読み出し、タイマ３４６に設定し、タイマ３４６をスタートさせる。これにより、図１０「状態２」６１２となる。ＣＰＵ３４２は、入出力部３４１から入力される切替要求に対応して、切替情報メモリ３４３から新たなスイッチ状態を計算し、切替制御３４５から光スイッチ３００に切替命令を出力させる。光スイッチ３００は、切替命令に従って駆動部を動作させ入力ポート２０１−Ｎと出力ポート２０３−Ｎを接続する。ＣＰＵ３４２は、切替情報メモリ３４３に新しい状態を記憶させる。
【００４４】
光スイッチ３００の切替え動作により、出力ポート２０３−Ｎの出力光信号は光パワーの断を生じる。出力ポート２０３−Ｎの光性能監視部３１０のパワーモニタ３６２は、光パワーの断を検出し、光パワー断警報を出力する。光パワー断警報は、警報インターフェース回路３５４により受け付けられ、警報インターフェース回路３５４は、警報レジスタ３５２のポートＮの光パワー断警報に対応するビットエリアの値を警報有りを示す「１」に設定する。また、性能監視回路３６４は誤り率の劣化、動作クロック同期はずれ、フレーム同期はずれを検出し、それぞれの警報を出力する。これらの警報は、警報インターフェース回路３５４により受け付けられ、警報レジスタ３５２のポートＮの誤り率警報、動作クロック同期はずれ警報、フレーム同期はずれ警報のビットエリアが、警報有りを示す「１」に設定される。このとき、上述のようにマスクレジスタ３５３は、ポートＮの各警報に対応するビットエリアがマスク中を示す「０」に設定されているため、警報出力部３５１が、警報レジスタ３５２とマスクレジスタ３５３の論理積を取った結果は「０」であり、警報出力部３５１は、警報を発生しない。これが図１０の「状態３」６１３である。なお、性能監視回路３６４は、光パワー断の場合には、誤り率計測ができないため光パワーが確認されるまで誤り率測定は停止し、光パワーが回復してから誤り率測定を再開する。
【００４５】
スイッチ切替命令から約１ｍｓ後に光スイッチ３００による切替えが完了し、出力ポート２０３−Ｎに光信号が到達する。パワモニタ３６２にも光信号が到達するため、光パワー断警報は検出が解除され、警報インターフェース回路３５４によって、警報レジスタ３５２のポートＮの光パワー断警報のビットエリアには正常を示す「０」が書込まれる。切り替えから１０ｍｓ後、タイマ３４６から光パワー断警報マスク解除時間であることがＣＰＵ３４２に通知され、マスクレジスタ３５３の光パワー断ビットエリアにはマスク解除を示す「１」が書込まれる。このとき既に光パワー断警報は解除されているため、警報出力部３５１はＣＰＵ３４２に警報を上げることはない。これが図１０「状態４」６１４である。
【００４６】
出力ポート２０３−Ｎの光性能監視部３１０の性能監視回路３６４は、光パワー断が回復した後、誤り率測定を再開し、所定の時間（約１０秒）経過後には誤り率１０−９以下の測定が可能となる。これにより、誤り率警報は解除され、警報インターフェース回路３５４を通じて、警報レジスタ３５２のポートＮの誤り率警報のビットエリアには正常を示す「０」が書込まれる。
【００４７】
１５秒後、タイマ３４６から誤り率警報マスク解除時間であることがＣＰＵ３４２に通知され、マスクレジスタ３５３のポートＮの誤り率警報のビットエリアにはマスク解除を示す「１」が書込まれる。このとき既に、誤り率警報は解除され、警報レジスタの対応ビットエリアに「０」が書き込まれているため、警報出力部３５１はＣＰＵ３４２に警報を上げることはない。すべてのマスクが解除されて、通常の状態「状態５」６１５に戻る。
【００４８】
なお、タイマ３４６により指定されたマスク解除時刻となり、マスクレジスタ３５３にマスク解除を示す「１」が書込まれた時点でも尚、警報レジスタ３５２の対応するビットエリアが異常を示す「１」である場合には、警報出力部３５１からＣＰＵ３４２へ警報が上げられる。ＣＰＵ３４２は、障害が発生したとして、監視制御システム（ＯｐＳ）に通報し、監視制御システム（ＯｐＳ）の指示のもとで、図１１に示した障害を救済するための新たな経路切り替え動作を開始するか、もしくは自ら復旧のための自動切換えを行う。
【００４９】
上述してきたように、本実施の形態の光経路設定装置１００は、光スイッチ３００の正常な切替動作にともなって生じる光信号の断、誤り率の劣化、動作クロック同期はずれ、フレーム同期はずれを、警報マスクをかけることにより、障害発生と誤認識することを防止することができる。すなわち、性能監視部３１０から受信した警報を、（１）障害に起因するものと、（２）光スイッチ３００の経路切替動作に起因するものとに区別し、接続される他の装置への警報の出力を制御する。具体的には、（２）の場合には、光ファイバ２００５、２００６等を介して自装置と接続されている他の光アドドロップ多重装置（ＯＡＤＭ）１００３等や光クロスコネクト装置（ＯＸＣ）１００１等や監視制御システム（ＯｐＳ）（不図示）へ、警報が出力されないようにする。これにより、光スイッチ３００の正常な切替動作であるにも関わらず障害を救済するための新たな経路切替動作等を開始させる恐れがなく、信頼性の高い光経路設定装置を提供することができる。
【００５０】
また、本実施の形態の光経路設定装置１００では、光信号の断、誤り率の劣化、動作クロック同期はずれ、フレーム同期はずれという複数の警報項目に対して、それぞれ適した時間だけ警報マスクを設定することができるため、真の障害発生の検出精度を劣化させることなく、光スイッチの正常な切替動作にともなう警報の誤認識を防止でき、信頼性を向上させることができる。
【００５１】
したがって、本実施の形態の光経路設定装置１００を、光アドドロップ多重装置（ＯＡＤＭ）や光クロスコネクト装置（ＯＸＣ）用いることにより、信頼性・保守性・サービス性に優れた光アドドロップ多重装置（ＯＡＤＭ）や光クロスコネクト装置（ＯＸＣ）、ならびに、光通信網システムを提供することができる。
【００５２】
また、図７に示した光経路設定装置１００では、警報レジスタ３５２とマスクレジスタ３５３を用い、警報出力部３５１が両レジスタの対応するビットエリアに格納されているビット（「１」または「０」）の論理積を取ることにより警報を発する警報マスク３０３の構成であるが、ＣＰＵ３４２がプログラムを実行することにより、警報マスクを設定した警報処理を実行するように構成することも可能である。これを、図１４〜図１７を用いて説明する。この場合、光経路設定装置１００は、図１４に示したように、警報マスク３０３の構成要素を備えない構成となる。警報管理用メモリ３４４には、図９の各警報ごとのマスク時間の他に、図１５〜図１７に示したようなプログラムを予め格納しておく。ＣＰＵ３４２は、警報管理用メモリ３４４のプログラムを読み込んで実行することにより、警報処理および光スイッチ３００の切替処理を行う。ＣＰＵ３４２は、プログラムを読み込むと、図１５のステップ１５１で初期化して、ループに入り、不図示の監視制御システム（ＯｐＳ）からの経路切替要求（ステップ１５３）やリセット（ステップ１５５）がなければ、警報処理（ステップ１５２）を行う。警報処理は、図１６のように、ＣＰＵ３４２が警報インターフェース回路３５３から警報を受け取っていなければ（ステップ１６１）、そのまま処理を終了し、警報を受け取っている場合には障害を復旧する救済処理が必要かどうかを自ら判断し、復旧のための処理が必要である場合には、予め定められた経路にスイッチ３００を切り替える動作を行う（ステップ１６２、１６３）。自らの光経路設定装置１００内の切り替え動作では解決できない場合等のように必要な場合には、不図示の監視制御システム（ＯｐＳ）に通知を行い（ステップ１６４，１６５）、処理を終了する。この場合、図１５のステップ１５３に進み、不図示の監視制御システム（ＯｐＳ）から適切な切り替え要求を受け取り、切り替え処理を行う（ステップ１５４）。
【００５３】
外部から経路切替要求を受けた場合の切り替え処理（ステップ１５４）、もしくは、復旧のための切り替え処理（ステップ１６３）は、図１７のように行う。まず、ＣＰＵ３４２は、警報管理用メモリ３４４から警報ごとのマスク時間を各出力ポートについて読み込み、マスクを開始し、タイマ３４６を起動する。このとき、警報管理用メモリ３４４内に、予め各出力ポートについてのそれぞれの警報マスクを設定しているかどうかを書き込む領域を設けておき、ＣＰＵ３４２が、この領域に「０」または「１」を書き込むことにマスクを設定する構成にすることができる。マスクを設定した状態で、切替命令を光スイッチ３００に出力する（ステップ１７３）。これにより、光スイッチ３００は、経路切替を行う。ＣＰＵ３４２は、ステップ１５２に進み、図１６の警報処理１５２のフローを行う。ただし、ステップ１６１でＣＰＵ３４２が警報インターフェース回路３５３から警報を受け取った場合、ステップ１７２で該当するポートの該当する警報のマスク時間中である場合には、警報なしとして処理する。ＣＰＵ３４２は、タイマからのマスク解除時刻情報を受け取り、マスク解除時刻になった場合には、指定されたマスクを解除する（ステップ１７５，１７６）。例えば、警報管理用メモリの上記警報マスクの書き込み領域にマスクの解除示す「１」を書き込むことにより解除する。マスクが解除されたポートの該当する警報について、ステップ１５２の警報処理においてＣＰＵ３４２が警報インターフェース回路３５３から警報を受け取った場合には、図１６のフローの通りステップ１６２へ進み、必要に応じて復旧処理を行う。最後の警報マスクのマスク時間が解除時刻に達したならば（ステップ１７５）、警報処理（ステップ１５２）を行った上で、全マスクが解除され（ステップ１７４）、切替結果を切替情報メモリ３４３に書き込む（ステップ１７７）。これにより、光経路の切替処理が終了する。
【００５４】
このように、図１４〜図１７の構成によれば、ソフトウエアにより警報マスクを実現できるため、簡単な装置構成で本実施の形態の光経路切替装置１００を提供することができる。また、既存の光経路切替装置の制御部３０５のメモリ３４４に図１５〜図１７のプログラムを格納して、ＣＰＵ３４２にこれを実行させることにより、既存の光経路切替装置を、本実施の形態の光経路切替装置１００の動作を実現させることが可能である。
【００５５】
なお、警報項目としては、本実施の形態では、信号の断、誤り率の劣化、動作クロック同期はずれ、フレーム同期はずれの４項目について検出しているが、これに限られるものではなく、必要に応じて警報項目を少なくすることも多くすることも可能である。いずれの場合も、警報の項目ごとに、適したマスク時間を予め設定する。
【００５６】
本実施の形態の光経路切替装置１００は、光スイッチ３００として、切替動作時に光パワーの断が生じる機械式の光スイッチを用いる場合について説明したが、本実施の形態の光経路切替装置１００は、切替時に光パワーの断が生じない光スイッチを用いることも可能である。例えば、電気光学効果や熱光学効果を用いる光スイッチを用いることが可能である。このような光スイッチは、切替動作時に光パワーの断は生じないが、動作クロック同期はずれ、フレーム同期はずれが、本実施の形態と同様に生じる。よって、警報項目として、動作クロック同期はずれ警報、フレーム同期はずれ警報を少なくとも監視し、光スイッチ切替動作時に、予め定めた時間マスクをかけることにより、正常な光スイッチの切替動作による動作クロック同期はずれ、および、フレーム同期はずれを、障害発生と誤認識することを防止することができる。これにより、正常な切替動作であるにも関わらず障害を救済するための新たな経路切替動作等を開始させる恐れがなく、信頼性の高い光経路設定装置を提供することができる。また、マスク時間を、それぞれ警報に適した時間だけ設定することにより、真の障害発生の検出精度を劣化させることないため、信頼性の高い経路切替装置を提供できる。
【００５７】
【発明の効果】
以上説明したように、本発明は、光信号のまま経路切替処理を行う光通信網システムであって、光スイッチの切り替え時に、誤警報の通知されることを防止し、信頼性の高い光通信網システムを提供することができる。
【図面の簡単な説明】
【図１】図１は、本発明の一実施の形態の光通信網システムの全体構成を示す説明図である。
【図２】図２は、本発明の一実施の形態の光通信網システムに用いられる光経路設定装置１００の基本構成を示すブロック図である。
【図３】図３は、図２の光経路設定装置１００において、光経路の切替を行う手順について示すフローチャートである。
【図４】図４（ａ）〜（ｈ）は、図２の光経路設定装置１００において、正常に光経路切替動作が行われる場合の各部の状態及び信号のタイムチャートを示す説明図である。
【図５】図５（ａ）〜（ｈ）は、図２の光経路設定装置１００において、光経路切替動作後に、光パワー断警報が発せられる場合の各部の状態及び信号のタイムチャートを示す説明図である。
【図６】図６（ａ）〜（ｈ）は、図２の光経路設定装置１００において、光経路切替動作後に、誤り率警報が発せられる場合の各部の状態及び信号のタイムチャートを示す説明図である。
【図７】図７は、本発明の一実施の形態の光通信網システムに用いられる光経路設定装置１００の具体的な構成を示すブロック図である。
【図８】図８は、図７の光経路設定装置１００の切替動作を行っておらず、警報も発せられていない状態における警報レジスタ３５２，マスクレジスタ３５３の各ビットエリアの状態を示す説明図である。
【図９】図９は、図７の光経路設定装置１００の警報管理用メモリ３４４に格納される、マスク時間およびマスク後の出力を各警報ごとに示す説明図である。
【図１０】図１０は、図７の光経路設定装置の警報レジスタ３５２，マスクレジスタ３５３の断警報と誤り率警報のビットエリアの状態を、状態１〜５について示す説明図である。
【図１１】図１１は、図１の光通信網システムの光ファイバ２００６のリングにおいて、障害の救済のために一部の光ファイバ２００６が二重に配置されていることを示す説明図である。
【図１２】図１２は、図１の光通信網システムの光アドドロップ多重装置（ＯＡＤＭ）の構成を示すブロック図である。
【図１３】図１３は、図１の光通信網システムの光クロスコネクト装置（ＯＸＣ）の構成を示すブロック図である。
【図１４】図１４は、本発明の一実施の形態の警報マスクをソフトウエアにより実現する光経路設定装置１００の構成を示すブロック図である。
【図１５】図１５は、図１４の光経路設定装置１００のＣＰＵ３４２の動作を示すフローチャートである。
【図１６】図１５は、図１４の光経路設定装置１００のＣＰＵ３４２の動作を示すフローチャートである。
【図１７】図１７は、図１４の光経路設定装置１００のＣＰＵ３４２の動作を示すフローチャートである。
【符号の説明】
１００…光経路設定装置、３００…光スイッチ、３０２…システム制御部、３０３…警報モニタ、３０４…タイマ、３０５…制御部、３１０…光性能監視部、１００１，１００２…光クロスコネクト装置（ＯＸＣ）、１００３〜１００９…光アドドロップ多重装置（ＯＡＤＭ）、２００１〜２００６…光ファイバ、２００７〜２０１３…光ファイバ。
【図１】
0003578745.tif 000002
【図２】
0003578745.tif 000003
【図３】
0003578745.tif 000004
【図４】
0003578745.tif 000005
【図５】
0003578745.tif 000006
【図６】
0003578745.tif 000007
【図７】
0003578745.tif 000008
【図８】
0003578745.tif 000009
【図９】
0003578745.tif 000010
【図１０】
0003578745.tif 000011
【図１１】
0003578745.tif 000012
【図１２】
0003578745.tif 000013
【図１３】
0003578745.tif 000014
【図１４】
0003578745.tif 000015
【図１５】
0003578745.tif 000016
【図１６】
0003578745.tif 000017
【図１７】
0003578745.tif 000018